(57)【要約】【課題】出力グリッチを抑制する。【解決手段】リレー制御装置２０は、分散型電源１と、分散型電源１の直流電力を交流電力に変換するインバータ回路３との間を電気的に開閉するリレーＲＹ２０を制御する。リレー制御装置２０は、分散型電源１の出力に関連する値である関連値と閾値Ｖ１，Ｖ２との比較結果に応じて、リレーＲＹ２０を第１状態と第２状態とに切り替える制御回路２３を備える。制御回路２３は、リレーＲＹ２０の第１状態から第２状態への切替えに応じて、関連値Ｖ９と閾値Ｖ１とのうち少なくとも一方を変化させる。【選択図】図１
2019180193.tif 000002
【特許請求の範囲】
【請求項１】
分散型電源と、前記分散型電源の直流電力を交流電力に変換するインバータ回路との間を電気的に開閉するリレーを制御するリレー制御装置であって、
前記分散型電源の出力に関連する値である関連値と閾値との比較結果に応じて、前記リレーを第１状態と第２状態とに切り替える制御回路を備え、
前記制御回路は、前記リレーの前記第１状態から前記第２状態への切替えに応じて、前記関連値と前記閾値とのうち少なくとも一方を変化させる
リレー制御装置。
【請求項２】
前記第１状態及び前記第２状態は、それぞれ、前記リレーの閉状態及び開状態であり、
前記制御回路は、前記リレーの前記第１状態から前記第２状態への切替えに応じて、前記関連値と前記閾値とのうち少なくとも一方を、前記関連値と前記閾値との差が大きくなるように変化させ、
前記閾値は、前記リレーを前記第２状態から前記第１状態に切り替えるための閾値である
請求項１記載のリレー制御装置。
【請求項３】
前記第１状態及び前記第２状態は、それぞれ、前記リレーの閉状態及び開状態であり、
前記閾値は、前記リレーを前記開状態から前記閉状態に切り替えるための第１閾値と、前記リレーを前記閉状態から前記開状態に切り替えるための第２閾値とを含み、
前記制御回路は、
前記分散型電源から得られる関連値が前記第１閾値より大きい場合に前記リレーを閉状態にし、
前記分散型電源から得られる関連値が前記第２閾値より小さい場合に前記リレーを開状態にし、かつ前記第１閾値を所定の増分値だけ増大する
請求項１記載のリレー制御装置。
【請求項４】
前記関連値は、前記分散型電源の出力電圧の値である請求項２又は３記載のリレー制御装置。
【請求項５】
前記制御回路は、前記第１閾値を前記増分値だけ増大した場合、前記増分値だけ増大した前記第１閾値を低減する請求項３記載のリレー制御装置。
【請求項６】
前記制御回路は、前記第１閾値を前記増分値だけ増大した場合、所定時間が経過するか、現在時刻が所定時刻になるか、または、前記関連値が所定値以上になれば、前記増分値だけ増大した前記第１閾値を低減する請求項５記載のリレー制御装置。
【請求項７】
前記制御回路は、前記増分値だけ増大した前記第１閾値を、前記増分値を含まない初期値に低減する請求項６記載のリレー制御装置。
【請求項８】
前記分散型電源は太陽電池である請求項１から７の何れか１項に記載のリレー制御装置。
【請求項９】
請求項８記載のリレー制御装置と、
前記リレーと、を備える
接続箱。
【請求項１０】
請求項１から８の何れか１項に記載のリレー制御装置と、
前記分散型電源と、
前記インバータ回路と、
前記リレーと、を備える
電力変換システム。
【発明の詳細な説明】
【技術分野】
【０００１】
本開示は、一般に、リレー制御装置、接続箱及び電力変換システムに関する。より詳細には、分散型電源とこの分散型電源の直流電力を交流電力に変換するインバータ回路との間を電気的に開閉するリレーを制御するリレー制御装置、及びリレー制御装置を含む接続箱及び電力変換システムに関する。
【背景技術】
【０００２】
例えば、特許文献１は、ハイブリッド蓄電システムにおける接続箱を開示する。この接続箱は、リレーを備え、これは、太陽電池とパワーコンディショナーとを接続する第１プラス側ラインおよび第１マイナス側ラインに介装されている。
【先行技術文献】
【特許文献】
【０００３】
【特許文献１】特開２０１７−１６９４３６号公報
【発明の概要】
【発明が解決しようとする課題】
【０００４】
しかしながら、特許文献１記載のリレーでは、出力グリッチ（glitches）の懸念があった。
【０００５】
本開示は、上記の点に鑑みてなされており、出力グリッチを抑制可能な、リレー制御装置、接続箱及び電力変換システムを提供することを目的とする。
【課題を解決するための手段】
【０００６】
本開示のリレー制御装置は、分散型電源と、前記分散型電源の直流電力を交流電力に変換するインバータ回路との間を電気的に開閉するリレーを制御する。前記リレー制御装置は、前記分散型電源の出力に関連する値である関連値と閾値との比較結果に応じて、前記リレーを第１状態と第２状態とに切り替える制御回路を備える。前記制御回路は、前記リレーの前記第１状態から前記第２状態への切替えに応じて、前記関連値と前記閾値とのうち少なくとも一方を変化させる。
【０００７】
本開示の接続箱は、前記リレー制御装置と、前記リレーと、を備える。
【０００８】
本開示の電力変換システムは、前記リレー制御装置と、前記分散型電源と、前記インバータ回路と、前記リレーと、を備える。
【発明の効果】
【０００９】
以上説明したように、本開示では、出力グリッチを抑制することができるという効果がある。
【図面の簡単な説明】
【００１０】
【図１】図１は、本開示の一実施形態に係る電力変換システムを示す概略回路図である。
【図２】図２は、比較例の電力変換装置の動作の説明図である。
【図３】図３は、本開示の一実施形態に係る電力変換システムの動作の説明図である。
【図４】図４は、上記電力変換システムの第１制御例を示すフロー図である。
【図５】図５は、上記電力変換システムの第２制御例の一部を示すフロー図である。
【図６】図６は、開示の一実施形態の第１変形例に係る電力変換システムを示す概略回路図である。
【図７】図７は、本開示の一実施形態の第１変形例に係る別の電力変換システムを示す概略回路図である。
【図８】図８は、開示の一実施形態の第２変形例に係る電力変換システムを示す概略回路図である。
【発明を実施するための形態】
【００１１】
（１）概要
本実施形態の電力変換システム２００は、図１に示すように、分散型電源１を単相３線式の電力系統６に系統連系させるシステムである。電力変換システム２００は、分散型電源１と、電力変換装置１００とを備える。図１の例では、電力変換システム２００は、蓄電池５を更に備える。本開示でいう「電力系統」は、電力会社等の電気事業者が需要家の受電設備に電力を供給するためのシステム全体を意味する。本実施形態では、一例として、このような電力変換システム２００が、オフィスビル、病院、商業施設及び学校等の、非住宅施設に導入される場合を想定して説明する。
【００１２】
電力変換システム２００の電力変換装置１００は、図１に示すように、インバータ回路３を備えている。インバータ回路３は、分散型電源１と電力系統６との間に接続され、分散型電源１からの直流電力を交流電力に変換する。本開示でいう「接続する」は、端子、電子部品、又は電線等の要素同士を機械的に接続することの他、要素同士を電気的に接続することを含んでいる。電力変換装置１００は、分散型電源１の出力する直流電力をインバータ回路３にて交流電力に変換し、変換した交流電力を電力系統６に出力する。また、電力変換装置１００は、電力系統６の停電等の異常時には、解列器を開放し、電力系統６から解列された状態で交流電力を出力する自立運転を行うように構成されている。
【００１３】
電力変換装置１００は、リレー制御装置２０を更に備えている。リレー制御装置２０は、分散型電源１とインバータ回路３との間を電気的に開閉するリレーＲＹ２０を制御する。インバータ回路３は、分散型電源１の直流電力を交流電力に変換する。リレー制御装置２０は、制御回路２３を含む。制御回路２３は、分散型電源１の出力に関連する値である関連値と閾値との比較結果に応じて、リレーＲＹ２０を第１状態と第２状態とに切り替える。ここで、第１状態及び第２状態は、それぞれ、リレーＲＹ２０のオン状態及びオフ状態の一方及び他方である。また、制御回路２３は、リレーＲＹ２０の第１状態から第２状態への切替えに応じて、関連値と閾値とのうち少なくとも一方を変化させる。例えば、制御回路２３は、リレーＲＹ２０の第１状態から第２状態への切替えに応じて、関連値と閾値とのうち少なくとも一方を、関連値と閾値との差が大きくなるように変化させる。
【００１４】
上述のように、本実施形態の電力変換システム２００では、リレーＲＹ２０の第１状態から第２状態への切替えに応じて、関連値と閾値とのうち少なくとも一方を変化させる。このため、リレーＲＹ２０が第１状態から第２状態に切り替えられた後、リレーＲＹ２０が第２状態から第１状態に変化するのを抑制することができる。例えば、関連値と閾値との差が大きくなることで、関連値が閾値を超え難くなる。ここで、関連値の例として、電圧値、電流値、電力値、及び照度測定値（照度計から得られる値）を挙げることができる。したがって、本実施形態の電力変換システム２００では、出力グリッチを抑制することが可能になる、という利点がある。
【００１５】
（２）詳細
本実施形態に係る電力変換装置１００は、インバータ回路３と、リレーＲＹ２０と、リレー制御装置２０と、を備えている。図１の例では、リレーＲＹ２０は、リレー制御装置２０に具備されている。また、電力変換装置１００は、入力キャパシタＣ０及び出力キャパシタＣ１と、昇圧回路２と、フィルタ回路４と、充放電回路５０と、制御回路１０と、検出回路９と、を更に備えている。入力キャパシタＣ０及び出力キャパシタＣ１、昇圧回路２、インバータ回路３、フィルタ回路４、及び制御回路１０は、１つの筐体（以下、「第１筐体」ともいう）７に収納されている。なお、検出回路９及びリレー制御装置２０も、図１に示すように、第１筐体７に収納されてもよい。
【００１６】
電力変換装置１００には、分散型電源１が接続されている。分散型電源１は、第１電極及び第２電極を含む。本実施形態では、分散型電源１は、太陽電池を含む太陽光発電装置であり、第１電極及び第２電極は、それぞれ、正極１１及び負極１２である。さらに、電力変換装置１００の充放電回路５０には蓄電池５が接続されている。蓄電池５及び充放電回路５０は、電力変換装置１００の出力キャパシタＣ１に対して、分散型電源１と並列に接続されている。
【００１７】
入力キャパシタＣ０は、分散型電源１と昇圧回路２との間に接続されている。入力キャパシタＣ０の第１電極１３は、分散型電源１の正極１１、及び昇圧回路２の高電位の入力端に接続されている。入力キャパシタＣ０の第２電極１４は、分散型電源１の負極１２、及び昇圧回路２の低電位の入力端に接続されている。入力キャパシタＣ０は、分散型電源１の出力する直流電圧を安定化する機能を有している。
【００１８】
出力キャパシタＣ１は、昇圧回路２とインバータ回路３との間に接続されている。出力キャパシタＣ１の第１電極１５は、昇圧回路２の高電位の出力端、及びインバータ回路３の高電位の入力端に接続されている。出力キャパシタＣ１の第２電極１６は、昇圧回路２の低電位の出力端、及びインバータ回路３の低電位の入力端に接続されている。出力キャパシタＣ１は、昇圧回路２の出力する直流電圧を安定化する機能を有している。
【００１９】
昇圧回路２は、非絶縁方式の昇圧型のＤＣ−ＤＣコンバータであり、インダクタＬ０と、ダイオードＤ０と、スイッチング素子Ｑ０と、を有している。インダクタＬ０の第１端は、昇圧回路２の高電位の入力端に接続され、入力キャパシタＣ０の第１電極１３に接続されている。インダクタＬ０の第２端は、ダイオードＤ０のアノードに接続されている。ダイオードＤ０のカソードは、昇圧回路２の高電位の出力端に接続され、出力キャパシタＣ１の第１電極１５に接続されている。
【００２０】
スイッチング素子Ｑ０は、エンハンスメント型のｎチャネルＭＯＳＦＥＴ（Metal-Oxide-SemiconductorField-Effect Transistor）からなる。スイッチング素子Ｑ０のソースは、昇圧回路２の低電位の入力端及び出力端に接続され、入力キャパシタＣ０の第２電極１４に接続されている。スイッチング素子Ｑ０のドレインは、インダクタＬ０の第２端及びダイオードＤ０のアノードの接続点に接続されている。スイッチング素子Ｑ０は、制御回路１０（後述する）から与えられる制御信号Ｓ０によりオン／オフする。スイッチング素子Ｑ０はＭＯＳＦＥＴに限定されず、例えば、ＩＧＢＴ（Insulated Gate BipolarTransistor：絶縁ゲートバイポーラトランジスタ）、又はバイポーラトランジスタ等の他の半導体スイッチ素子であってもよい。
【００２１】
昇圧回路２は、スイッチング素子Ｑ０が制御回路１０によりＰＷＭ（Pulse Width Modulation）制御されることで、入力キャパシタＣ０の両端電圧を昇圧する。そして、昇圧回路２は、昇圧した直流電圧を中間バスＭＢに接続された出力キャパシタＣ１及びインバータ回路３に出力する。言い換えれば、昇圧回路２は、分散型電源１とインバータ回路３との間に接続され、分散型電源１の出力する直流電圧を所定の大きさの直流電圧に変換する。
【００２２】
インバータ回路３は、フルブリッジ接続された４つのスイッチング素子Ｑ１〜Ｑ４を有している。インバータ回路３では、スイッチング素子Ｑ１及びスイッチング素子Ｑ３の直列回路と、スイッチング素子Ｑ２及びスイッチング素子Ｑ４の直列回路とが、出力キャパシタＣ１の両端間に対して並列に接続されている。スイッチング素子Ｑ１，Ｑ２のドレインは、昇圧回路２の高電位の出力端、及び出力キャパシタＣ１の第１電極１５に接続されている。スイッチング素子Ｑ３，Ｑ４のソースは、いずれも昇圧回路２の低電位の出力端、および出力キャパシタＣ１の第２電極１６に接続されている。
【００２３】
スイッチング素子Ｑ１〜Ｑ４は、いずれもデプレッション形のｎチャネルＭＯＳＦＥＴからなる。スイッチング素子Ｑ１〜Ｑ４は、ＭＯＳＦＥＴに限定されず、例えば、ＩＧＢＴ、又はバイポーラトランジスタ等の他の半導体スイッチ素子であってもよい。
【００２４】
インバータ回路３は、スイッチング素子Ｑ１〜Ｑ４が制御回路１０によりＰＷＭ制御されることで、出力キャパシタＣ１とフィルタ回路４との間において、直流電圧から交流電圧、又は交流電圧から直流電圧への変換を行う双方向のＤＣ／ＡＣコンバータである。つまり、インバータ回路３は、出力キャパシタＣ１からの直流電力（中間バスＭＢからの直流電力）を交流電力に変換して電力系統６へ出力する機能と、電力系統６からの交流電力を直流電力に変換して出力キャパシタＣ１（中間バスＭＢ）へ出力する機能と、を有する。
【００２５】
このように、本実施形態では、インバータ回路３は、蓄電池５の充電及び放電の両方に対応できるように、出力キャパシタＣ１と電力系統６との間で、双方向に電力の変換を行うように構成されている。これにより、電力変換装置１００は、蓄電池５を電力系統６に系統連系させ、電力系統６から供給される電力により蓄電池５を充電したり、蓄電池５が出力する電力を電力系統６に接続されている負荷に供給したりすることが可能である。
【００２６】
フィルタ回路４は、２つのインダクタＬ１，Ｌ２と、キャパシタＣ２と、を有している。インダクタＬ１の第１端は、スイッチング素子Ｑ１のソース及びスイッチング素子Ｑ３のドレインの接続点に接続されている。インダクタＬ１の第２端は、電力系統６に接続されている。インダクタＬ２の第１端は、スイッチング素子Ｑ２のソース及びスイッチング素子Ｑ４のドレインの接続点に接続されている。インダクタＬ２の第２端は、電力系統６に接続されている。また、インダクタＬ１の第２端とインダクタＬ２の第２端との間には、キャパシタＣ２が接続されている。フィルタ回路４は、インバータ回路３の出力する交流電圧の高周波成分を除去し正弦波状の電圧を生成する機能を有している。
【００２７】
制御回路１０は、例えば、１以上のプロセッサ及びメモリを有するマイクロコンピュータにて構成されている。言い換えれば、制御回路１０は、１以上のプロセッサ及びメモリを有するコンピュータシステムにて実現されており、１以上のプロセッサがメモリに格納されているプログラムを実行することにより、コンピュータシステムが制御回路１０として機能する。プログラムは、ここでは制御回路１０のメモリに予め記録されているが、インターネット等の電気通信回線を通じて、又はメモリカード等の非一時的な記録媒体に記録されて提供されてもよい。制御回路１０は、例えば、ＦＰＧＡ（Field-ProgrammableGate Array）、又はＡＳＩＣ（Application SpecificIntegrated Circuit）等で構成されてもよい。制御回路１０は、例えば、電力系統６及び蓄電池５の少なくとも一方から電源回路を介して動作電力を受けて動作する。
【００２８】
制御回路１０は、５つのスイッチング素子Ｑ０〜Ｑ４を制御するための制御信号Ｓ０〜Ｓ４を出力する。制御信号Ｓ０〜Ｓ４は、直接的に、又は駆動回路を介して、スイッチング素子Ｑ０〜Ｑ４のゲートに印加され、スイッチング素子Ｑ０〜Ｑ４を個別にオン／オフする。制御回路１０は、デューティ比を調節可能なＰＷＭ方式によって、スイッチング素子Ｑ０〜Ｑ４を制御する。
【００２９】
充放電回路５０は、双方向の昇圧回路であって、蓄電池５と出力キャパシタＣ１との間の中間バスＭＢに接続されている。充放電回路５０は、蓄電池５の出力する直流電力を所定の大きさの直流電力に変換し、変換した直流電力を出力キャパシタＣ１に出力する機能を有している。また、充放電回路５０は、出力キャパシタＣ１の出力する直流電力を所定の大きさの直流電力に変換し、変換した直流電力を蓄電池５に出力する機能を有している。
【００３０】
検出回路９は、入力キャパシタＣ０と並列に接続可能である。検出回路９は、分散型電源１の出力に関連する値である関連値を取得する。ここで、検出回路９の例として、電圧検出回路、電流検出回路、電力検出回路及び照度計を挙げることができる。この場合、上述のように、関連値の例として電圧値、電流値、電力値及び照度測定値を挙げることができる。本実施形態では、説明の便宜上、検出回路９は、電圧検出回路であり、関連値は電圧値である。なお、検出回路９は、制御回路１０と後述の制御回路２３とによって兼用されてもよい。ただし、昇圧回路２及びインバータ回路３に対する、検出回路９の検出結果に基づく制御回路１０による制御は周知であるので、その説明は省略する。
【００３１】
上述の如く、電力変換装置１００はリレーＲＹ２０を備える。図１の例では、リレーＲＹ２０は、メカニカルリレーであり、リレー制御装置２０に具備されている。ここで、上記検出回路９は、分散型電源１とリレーＲＹ２０との間に設けられる。
【００３２】
本実施形態では、リレーＲＹ２０は、分散型電源１とインバータ回路３との間に電気的に接続可能であり、第１端子２１と、第２端子２２と、いわゆる接点としての開閉素子ＳＷ２０と、を含む。第１端子２１は、分散型電源１の正極１１及び負極１２のうちの少なくとも一方に接続される。第２端子２２は、インバータ回路３の２つの入力端子のうち第１端子２１に対応する入力端子に接続される。開閉素子ＳＷ２０は、第１端子２１と第２端子２２との間に接続される。
【００３３】
図１の例では、リレーＲＹ２０は、第１端子２１として第１端子２１１，２１２を含む一方、第２端子２２として第２端子２２１，２２２を含む。第１端子２１１，２１２は、それぞれ、分散型電源１の正極１１及び負極１２に接続されている。第２端子２２１，２２２は、それぞれ、インバータ回路３の高電位側の入力端及び低電位側の入力端に接続されている。本実施形態では、昇圧回路２が設けられているので、第２端子２２１，２２２は、それぞれ、入力キャパシタＣ０を介して、昇圧回路２の高電位側の入力端及び低電位側の入力端に接続されている。また、リレーＲＹ２０は、開閉素子ＳＷ２０として開閉素子ＳＷ２１，ＳＷ２２を含む。開閉素子ＳＷ２１は、第１端子２１１と第２端子２２１との間に接続されている一方、開閉素子ＳＷ２２は、第１端子２１２と第２端子２２２との間に接続されている。
【００３４】
リレー制御装置２０は、リレーＲＹ２０を制御する。詳しくは、リレー制御装置２０は、検出回路９からの関連値と閾値との比較結果に応じて、リレーＲＹ２０を第１状態と第２状態とに切り替える制御回路２３を備える。制御回路２３は、制御回路１０と同様の電源回路を介して動作電力を受けて動作してもよいが、本実施形態では、分散型電源１から図示しない電源回路を介して動作電力を受けて動作する。なお、制御回路２３は、制御回路１０と同様のマイクロコンピュータなどのハードウェアにより構成されてもよく、あるいは制御回路１０と一体に構成されてもよい。
【００３５】
本実施形態では、制御回路２３は、リレーＲＹ２０の第１状態から第２状態への切替えに応じて、関連値と閾値とのうち少なくとも一方を、関連値と閾値との差が大きくなるように変化させる。
【００３６】
（３）動作
まず、本実施形態の電力変換装置１００の基本的な動作について図１を用いて説明する。日中など、分散型電源１が十分な太陽光を受けて発電している場合、分散型電源１は、昇圧回路２を介して、インバータ回路３に直流電力を出力する。インバータ回路３は、入力された直流電力を交流電力に変換し、変換した交流電力を電力系統６に出力する。これにより、分散型電源１の発電する電力が、電力系統６に接続されている負荷に供給される。また、分散型電源１の発電電力に余剰電力がある場合、分散型電源１は、昇圧回路２及び充放電回路５０を介して余剰電力を蓄電池５に出力することで、蓄電池５を充電する。その他、電力系統６がインバータ回路３及び充放電回路５０を介して蓄電池５に直流電力を出力することで、蓄電池５を充電してもよい。
【００３７】
一方、天気が曇り又は雨、若しくは夜間など、分散型電源１が十分な太陽光を受けることができず発電していない場合、蓄電池５は、充放電回路５０を介して、インバータ回路３に直流電力を出力する。インバータ回路３は、入力された直流電力を交流電力に変換し、変換した交流電力を電力系統６に出力する。これにより、蓄電池５が放電する電力が、電力系統６に接続されている負荷に供給される。
【００３８】
ここで、図２に示すように、リレー制御装置２０が具備されていない電力変換装置（以下、「比較例」ともいう）の動作について説明する。比較例は、リレー制御装置２０が具備されていない他は、本実施形態の電力変換装置１００と同様に構成される。
【００３９】
上述のように、夜間など、分散型電源１が発電していない場合でも、蓄電池５から電力系統６へ電力を供給するときにインバータ回路３が動作する場合がある。この場合、出力キャパシタＣ１の第１電極１５と基準電位Ｖｂ１との間には、第１電極１５を高電位とする対地電圧Ｖ１が発生する。また、出力キャパシタＣ１の第２電極１６と基準電位Ｖｂ１との間には、基準電位Ｖｂ１を高電位とする対地電圧Ｖ２が発生する。ここで、本開示でいう「基準電位Ｖｂ１」は、電力系統６の中性線が大地に接続されている状態における、大地の電位をいう。
【００４０】
なお、本実施形態では、分散型電源１としての太陽電池と、蓄電池５とを用いた電力変換装置１００について説明しているため、分散型電源１が発電していない場合にインバータ回路３が動作する一例として夜間を挙げているが、これに限定する趣旨ではない。例えば、分散型電源１、又は蓄電池５の代わりの他の直流電源によっては、夜間以外の状況であっても、分散型電源１が発電していない場合にインバータ回路３が動作する可能性がある。
【００４１】
ここで、分散型電源１の正極１１及び負極１２は、いずれも比較的大きい電極である。このため、分散型電源１の正極１１と基準電位Ｖｂ１との間、及び分散型電源１の負極１２と基準電位Ｖｂ１との間には、それぞれ無視できない程度の大きさの対地容量Ｃｅ１及び対地容量Ｃｅ２が生じる。そして、対地電圧Ｖ１を電圧発生源として、昇圧回路２の高電位、対地容量Ｃｅ１、基準電位Ｖｂ１の順に漏洩電流が流れる電流経路（以下、「第１経路Ｐ１」ともいう）が形成され得る。同様に、対地電圧Ｖ２を電圧発生源として、基準電位Ｖｂ１、第２対地容量Ｃｅ２、昇圧回路２の低電位、の順に漏洩電流が流れる電流経路（以下、「第２経路Ｐ２」ともいう）が形成され得る。これらの電流経路は、いずれもインバータ回路３から見て分散型電源１側の回路の少なくとも一部を含んでいる。また、これらの電流経路は、昇圧回路２の高電位及び低電位の少なくとも一方を含んでいる。本実施形態では、電流経路のうち第１経路Ｐ１は、昇圧回路２の高電位側の電路を含んでおり、第２経路Ｐ２は、昇圧回路２の低電位側の電路を含んでいる。
【００４２】
まず、第１経路Ｐ１及び第２経路Ｐ２のうち後者について説明すると、第２経路Ｐ２には、第２経路Ｐ２を通して基準電位Ｖｂ１に漏洩電流が流れ得る。このため、対地容量Ｃｅ２が漏洩電流により充電され、分散型電源１の負極１２には対地電圧（つまり、負極１２と基準電位Ｖｂ１との間の電圧）が印加され得る。一方、前者の第１経路Ｐ１では、昇圧回路２のダイオードＤ０が逆流阻止ダイオードとして機能することで、基準電位Ｖｂ１に流れる漏洩電流が抑制される。このため、対地容量Ｃｅ１が漏洩電流で充電され難く、分散型電源１の正極１１には、対地電圧（つまり、正極１１と基準電位Ｖｂ１との間の電圧）は印加され難い。
【００４３】
しかし、電力変換装置には、検出回路９が設けられる。この検出回路９が例えば少なくとも電圧検出回路を含む場合、対地容量Ｃｅ１も漏洩電流により充電され得る。詳しくは、昇圧回路２の高電位の出力端はダイオードＤ０によってキャパシタＣ１の第１電極１５から電気的に遮断されている。このため、対地電圧Ｖ２を電圧発生源として、基準電位Ｖｂ１、対地容量Ｃｅ１、検出回路９における電圧検出回路の抵抗成分、の順に漏洩電流が流れる電流経路（以下、「第３経路Ｐ３」ともいう）が形成され得る。これにより、対地容量Ｃｅ１が漏洩電流により充電され、分散型電源１の正極１１にも対地電圧が印加され得る。
【００４４】
このように分散型電源１の正極１１及び負極１２のうち少なくとも一方の電極に、対地電圧が印加されることで、分散型電源１に悪影響を及ぼす可能性がある。例えば、分散型電源１が太陽光発電装置である場合、ＰＩＤ（Potential InducedDegradation）現象が発生することで、太陽光発電装置が劣化し、分散型電源１の発電量が低下する可能性がある。
【００４５】
これに対して、本実施形態では、図３に示すように、リレー制御装置２０が具備されている。したがって、制御回路２３がリレーＲＹ２０をオフすることにより、第１経路Ｐ１から第３経路Ｐ３のいずれにも漏洩電流が流れるのを防止することができる。つまり、第２経路Ｐ２を通して基準電位Ｖｂ１に流れる漏洩電流と、第３経路Ｐ３を通して基準電位Ｖｂ１に流れる漏洩電流とを抑制することが可能である。このように、本実施形態では、制御回路２３がリレーＲＹ２０をオフすることにより、対地容量Ｃｅ１及び対地容量Ｃｅ２の充電経路を遮断している。このため、本実施形態では、分散型電源１の正極１１及び負極１２のいずれにも対地電圧が印加され難く、結果として分散型電源１に悪影響が及ぶ可能性を低減することができる。このように、本実施形態では、第１経路Ｐ１及び第２経路Ｐ２のいずれにも漏洩電流が流れ難くなるので、分散型電源１の正極１１及び負極１２のいずれにおいても対地電圧が発生し難くなる、という利点がある。
【００４６】
なお、図３の構成では、検出回路９が分散型電源１とリレー制御装置２０との間に設けられているので、リレー制御装置２０が開閉素子ＳＷ２２のみを含んでも、対地容量Ｃｅ１及び対地容量Ｃｅ２の充電経路を遮断可能である。しかし、リレー制御装置２０が後付けされる場合、既存の電圧検出回路がリレー制御装置２０と昇圧回路２との間に介在することがある。この場合、リレー制御装置２０が更に開閉素子ＳＷ２１を含むことにより、第３経路Ｐ３を通して基準電位Ｖｂ１に流れる漏洩電流を抑制することが可能となる。
【００４７】
上述の如く、対地容量Ｃｅ１及び対地容量Ｃｅ２の充電経路を遮断する態様としては、分散型電源１と昇圧回路２との間にリレーＲＹ２０を設けることが考えられる。この態様では、分散型電源１が発電していないときに、リレーＲＹ２０により分散型電源１と昇圧回路２との間を遮断することで、対地容量Ｃｅ１及び対地容量Ｃｅ２の充電経路を遮断することが可能である。
【００４８】
しかしながら、分散型電源１と昇圧回路２との間にリレーＲＹ２０を設け、制御回路２３が関連値と閾値との比較結果に応じて、リレーＲＹ２０の各開閉素子ＳＷ２０をオフするだけでは、出力グリッチの発生を抑制することができない場合がある。例えば、分散型電源１が太陽光発電装置である場合、日の出からしばらくの間、分散型電源１の出力が不安定であることが多い。このような場合、関連値としての分散型電源１の出力電圧が不安定になる。詳しくは、出力電圧が閾値を超えたことで、制御回路が各開閉素子ＳＷ２０をオンした後、出力電圧が閾値よりも低下したとき、制御回路が各開閉素子ＳＷ２０をオフすることになる。
【００４９】
このように、分散型電源１の出力電圧の不安定さが、リレーＲＹ２０を繰り返しオン・オフさせる現象としての出力グリッチの発生の原因となるのである。出力グリッチは、厳密にはリレーＲＹ２０のチャタリング（chattering）とは異なるが、チャタリングと同様に、リレーＲＹ２０がオン・オフを繰返す現象である。より詳しくは、出力グリッチとは、分散型電源１の出力電圧の不安定さに応じて変化する検出信号としての関連値の遷移に起因した、リレーＲＹ２０のオン・オフの繰返し現象のことである。
【００５０】
本実施形態では、制御回路２３が、リレーＲＹ２０の第１状態から第２状態への切替えに応じて、関連値と閾値とのうち少なくとも一方を、関連値と閾値との差が大きくなるように変化させるという簡易な制御により、出力グリッチの発生を抑制することが可能である。
【００５１】
（第１制御例）
図４は、制御回路２３によるリレーＲＹ２０に対する第１制御例の動作フローを示す。以下、第１制御例について説明する。
【００５２】
第１制御例では、第１状態及び第２状態は、それぞれ、リレーＲＹ２０の閉状態及び開状態である。閾値は、リレーＲＹ２０を開状態から閉状態に切り替えるための第１閾値と、リレーＲＹ２０を閉状態から開状態に切り替えるための第２閾値とを含む。制御回路２３は、分散型電源１から得られる関連値が第１閾値より大きい場合にリレーＲＹ２０を閉状態にする。また、制御回路２３は、分散型電源１から得られる関連値が第２閾値より小さい場合にリレーＲＹ２０を開状態にし、かつ第１閾値を所定の増分値だけ増大する。さらに、制御回路２３は、第１閾値を増分値だけ増大した場合、増分値だけ増大した第１閾値を低減する。第１制御例では、制御回路２３は、増分値だけ増大した第１閾値を、増分値を含まない初期値に低減する。
【００５３】
次に、第１制御例の動作について図４を参照して説明する。
【００５４】
リレー制御装置２０が分散型電源１から図示しない電源回路を介して動作電力を受けて起動すると、制御回路２３はステップＳ１に進んで初期設定を行う。例えば、制御回路２３は、リレーＲＹ２０の開閉状態を示すフラグＦ（の値）を、閉状態を示す例えば０に設定する。また、制御回路２３は、電圧値である関連値に対する第１閾値Ｖ１及び第２閾値Ｖ２を、それぞれ、初期閾値Ｖ１Ｌ及び所定閾値Ｖ２Ｔに設定する。初期閾値Ｖ１Ｌ及び所定閾値Ｖ２Ｔは、例えば限定されないが、それぞれ、６０Ｖ及び４０Ｖである。第１閾値Ｖ１は、可変閾値であり、初期閾値Ｖ１Ｌとこれよりも大きい所定閾値Ｖ１Ｈとの間で切り替えられる。所定閾値Ｖ１Ｈは、例えば限定されないが、７０Ｖである。さらに、制御回路２３は、第１パラメータＰｆを初期値０に設定し、第２パラメータＰｓを初期値０に設定する。第１パラメータＰｆは、関連値が第１閾値Ｖ１を超えたカウント値であり、このカウント値が所定のカウント閾値ＣＴ１を超えたときにリレーＲＹ２０がオン安定の状態であることを表す。第２パラメータＰｓは、関連値が第３閾値Ｖ３を超えたカウント値であり、このカウント値が所定のカウント閾値ＣＴ２を超えたときにリレーＲＹ２０がオフ安定の状態であることを表す。第３閾値Ｖ３は、第１閾値Ｖ１と第２閾値Ｖ２の間の値、例えば限定されないが、初期閾値Ｖ１Ｌに設定される。まとめると以下の通りである：
Ｖ１＝Ｖ１Ｌ（＝６０Ｖ）又はＶ１Ｈ（＝７０Ｖ）； 
Ｖ２＝Ｖ２Ｔ（＝４０Ｖ）；
Ｖ３＝Ｖ１Ｌ（＝６０Ｖ）；
関連値＞Ｖ１→Ｐｆ＝Ｐｆ＋１→Ｐｆ＞ＣＴ１→オン安定；及び
関連値＞Ｖ３→Ｐｓ＝Ｐｓ＋１→Ｐｓ＞ＣＴ２→オフ安定。
【００５５】
次に、制御回路２３は、ステップＳ２に進んで検出回路９から関連値としての電圧値を取得する。検出回路９は、例えば複数の抵抗の直列回路を有する。制御回路２３は、検出回路９の分圧回路で検出された電圧を自己のＡ／Ｄ変換ポートを介して電圧値Ｖ９として取得する。
【００５６】
制御回路２３は、ステップＳ３に進んで、電圧値Ｖ９と第１閾値Ｖ１とを比較する。電圧値Ｖ９が第１閾値Ｖ１を超えれば（ステップＳ３で“ＹＥＳ”）、ステップＳ４に進み、そうでなければ（ステップＳ３で“ＮＯ”）、ステップＳ２０に進む。
【００５７】
ステップＳ４で、制御回路２３は、フラグＦが０であるか否かを判定する。フラグＦが０であれば（ステップＳ４で“ＹＥＳ”）、ステップＳ５に進み、そうでなければ（ステップＳ４で“ＮＯ”）、ステップＳ７に進む。
【００５８】
ステップＳ５で、制御回路２３は、リレーＲＹ２０の各開閉素子ＳＷ２０をオンする。次に、制御回路２３は、ステップＳ６に進んでフラグＦを１に設定し、この後、ステップＳ７に進む。
【００５９】
ステップＳ７で、制御回路２３は、第１パラメータＰｆを１だけ増分する。次に、制御回路２３は、ステップＳ８に進んで、第１パラメータＰｆがカウント閾値ＣＴ１を超えたか否かを判定する。第１パラメータＰｆがカウント閾値ＣＴ１を超えれば（ステップＳ８で“ＹＥＳ”）、ステップＳ９に進み、そうでなければ（ステップＳ８で“ＮＯ”）、ステップＳ２に戻る。
【００６０】
ステップＳ９で、制御回路２３は、第１閾値Ｖ１が所定閾値Ｖ１Ｈであるか否かを判定する。換言すれば、制御回路２３は、第１閾値Ｖ１が初期閾値Ｖ１Ｌでないか否かを判定する。第１閾値Ｖ１が所定閾値Ｖ１Ｈであれば（ステップＳ９で“ＹＥＳ”）、ステップＳ１０に進み、そうでなければ（ステップＳ９で“ＮＯ”）、ステップＳ１１に進む。なお、Ｓ９はＳ６とＳ７の間に設けられ、Ｓ９のＮＯでＳ１１の後（Ｓ２）に進んでもよい。この場合、Ｓ４のＮＯはＳ９に進む。
【００６１】
ステップＳ１０で、制御回路２３は、第１閾値Ｖ１を初期閾値Ｖ１Ｌに設定し、ステップＳ１１に進む。
【００６２】
ステップＳ１１で、制御回路２３は、第１パラメータＰｆを０に設定する。なお、第２パラメータＰｓも０に設定されてもよい。この後、ステップＳ２に戻る。
【００６３】
ステップＳ２０で、制御回路２３は、電圧値Ｖ９と第３閾値Ｖ３とを比較する。電圧値Ｖ９が第３閾値Ｖ３を超えれば（ステップＳ２０で“ＹＥＳ”）、ステップＳ２１に進み、そうでなければ（ステップＳ２０で“ＮＯ”）、ステップＳ３０に進む。
【００６４】
ステップＳ２１で、制御回路２３は、第２パラメータＰｓを１だけ増分する。次に、制御回路２３は、ステップＳ２２に進んで、第２パラメータＰｓがカウント閾値ＣＴ２を超えたか否かを判定する。第２パラメータＰｓがカウント閾値ＣＴ２を超えれば（ステップＳ２２で“ＹＥＳ”）、ステップＳ２３に進み、そうでなければ（ステップＳ２２で“ＮＯ”）、ステップＳ２に戻る。
【００６５】
ステップＳ２３で、制御回路２３は、第１閾値Ｖ１が所定閾値Ｖ１Ｈであるか否かを判定する。換言すれば、制御回路２３は、第１閾値Ｖ１が初期閾値Ｖ１Ｌでないか否かを判定する。第１閾値Ｖ１が所定閾値Ｖ１Ｈであれば（ステップＳ２３で“ＹＥＳ”）、ステップＳ２４に進み、そうでなければ（ステップＳ２３で“ＮＯ”）、ステップＳ２５に進む。なお、Ｓ２３はＳ２０とＳ２１の間に設けられ、Ｓ２３のＮＯでＳ２５の後（Ｓ２）に進んでもよい。
【００６６】
ステップＳ２４で、制御回路２３は、第１閾値Ｖ１を初期閾値Ｖ１Ｌに設定し、ステップＳ２５に進む。
【００６７】
ステップＳ２５で、制御回路２３は、第２パラメータＰｓを０に設定する。なお、第１パラメータＰｆも０に設定されてもよい。この後、ステップＳ２に戻る。
【００６８】
ステップＳ３０で、制御回路２３は、電圧値Ｖ９と第２閾値Ｖ２とを比較する。電圧値Ｖ９が第２閾値Ｖ２を下回れば（ステップＳ３０で“ＹＥＳ”）、ステップＳ３１に進み、そうでなければ（ステップＳ３０で“ＮＯ”）ステップＳ２に戻る。
【００６９】
ステップＳ３１で、制御回路２３は、フラグＦが１であるか否かを判定する。フラグＦが１であれば（ステップＳ３１で“ＹＥＳ”）、ステップＳ３２に進み、そうでなければ（ステップＳ３１で“ＮＯ”）、ステップＳ３６に進む。
【００７０】
ステップＳ３２で、制御回路２３は、リレーＲＹ２０の各開閉素子ＳＷ２０をオフする。次に、制御回路２３は、ステップＳ３３に進んでフラグＦを０に設定する。次に、制御回路２３は、ステップＳ３５に進んで、第１閾値Ｖ１を所定閾値Ｖ１Ｈに設定し、ステップＳ３６に進む。
【００７１】
ステップＳ３６で、制御回路２３は、所定の停止条件が成立したか否かを判定する。停止条件が成立すれば（ステップＳ３６で“ＹＥＳ”）、ステップＳ３７に進み、そうでなければ（ステップＳ３６で“ＮＯ”）、ステップＳ２に戻る。ここで、停止条件の成立例としては、制御回路２３の時計機能による時刻が所定時刻になったこと、及び、制御回路２３の時計機能による時刻が所定時間帯にある場合に電圧値Ｖ９が第２閾値Ｖ２を下回ったことなどを挙げることができる。所定時刻の例としては、日没時刻及び日没前（数分から数時間前）の時刻を挙げることができる。所定時間帯の例としては、日没前の数分から数時間の時間帯を挙げることができる。
【００７２】
ステップＳ３７で、制御回路２３は、リレーＲＹ２０の制御動作を停止する。これにより本フローが終了する。
【００７３】
この制御動作では、リレー制御装置２０が起動して、電圧値Ｖ９が初期閾値Ｖ１Ｌである第１閾値Ｖ１を超えると、リレーＲＹ２０がオンする（Ｓ３〜Ｓ５）。そして、分散型電源１の出力が順次増大して安定すると、リレーＲ２０のオン状態が維持され、第１閾値Ｖ１も初期閾値Ｖ１Ｌに維持される（Ｓ２〜Ｓ１１）。
【００７４】
これに対して、リレー制御装置２０が起動してリレーＲＹ２０がオンした後、分散型電源１の不安定な出力により、電圧値Ｖ９が第２閾値Ｖ２を下回ると、リレーＲＹ２０がオフし、第１閾値Ｖ１が所定閾値Ｖ１Ｈに増大される（Ｓ３０〜Ｓ３５）。これにより、リレーＲＹ２０がオンし難くなるので、出力グリッチの抑制が可能になる。
【００７５】
この後、分散型電源１の出力が上昇して電圧値Ｖ９が所定閾値Ｖ１Ｈに増大された第１閾値Ｖ１を越えるとリレーＲＹ２０がオンする（Ｓ３〜Ｓ６）。そして、分散型電源１の出力が安定し、電圧値Ｖ９が所定閾値Ｖ１Ｈに増大された第１閾値Ｖ１を越え続けると、第１パラメータＰｆが増大してカウント閾値ＣＴ１を超える（Ｓ７〜Ｓ８）。その結果、第１閾値Ｖ１が初期閾値Ｖ１Ｌに戻され（Ｓ９〜Ｓ１０）、リレーＲＹ２０の制御動作が初期閾値Ｖ１Ｌである第１閾値Ｖ１に基づく通常制御動作に戻る。つまり、第１パラメータＰｆは、分散型電源１の安定高出力判定用のパラメータとしても機能する。
【００７６】
これに対して、第１閾値Ｖ１が所定閾値Ｖ１Ｈに増大された後、分散型電源１が低出力で安定することがある。この場合、出力グリッチの影響は受け難いので、第１閾値Ｖ１が初期閾値Ｖ１Ｌに戻される（Ｓ２１〜Ｓ２５）。詳しくは、分散型電源１の出力が第３閾値Ｖ３（６０Ｖ）と所定閾値Ｖ１Ｈ（７０Ｖ）との間で安定すると、第２パラメータＰｓが増大してカウント閾値ＣＴ２を超える。その結果、第１閾値Ｖ１が初期閾値Ｖ１Ｌに戻され、リレーＲＹ２０の制御動作が初期閾値Ｖ１Ｌである第１閾値Ｖ１に基づく通常制御動作に戻る。つまり、第２パラメータＰｓは、分散型電源１の安定低出力判定用のパラメータとしても機能する。
【００７７】
上記第１制御例では、関連値Ｖ９と第１閾値Ｖ１とのうち第１閾値Ｖ１が初期閾値Ｖ１Ｌと所定閾値Ｖ１Ｈとの間で切り替えられるが、本開示の制御回路２３による制御はこれに限らない。例えば、本開示の制御回路２３は、第１閾値Ｖ１を所定閾値Ｖ１Ｈに切り替えることに代えて、関連値Ｖ９を所定演算で低減し、低減した関連値Ｖ９を、初期閾値Ｖ１Ｌとしての第１閾値Ｖ１と比較してもよい。所定演算の例として、関連値Ｖ９から所定値（例えば５から１５Ｖの値）を減算して関連値Ｖ９を低減すること、及び、関連値Ｖ９に０より大きく１より小さい数値（例えば、０．７から０．９の値）を乗じて関連値Ｖ９を低減することなどを挙げることができる。例えば、関連値Ｖ９から所定値としての１０Ｖを減じれば、第１制御例と同様の効果が得られる。また、関連値Ｖ９に０．８を乗ずれば、第１制御例とほぼ同様の効果が得られる。更に、本開示の制御回路２３は、関連値Ｖ９と第１閾値Ｖ１とのうち両方を変化させてもよい。
【００７８】
第１制御例の変形例として、初期閾値Ｖ１Ｌは動的に設定されてもよい。例えば、制御回路２３は、電圧値Ｖ９が第２閾値Ｖ２を下回るごとに、時計機能から得られる時刻とともにその電圧値Ｖ９を不揮発性メモリに記憶する。この場合、不揮発性メモリにはその日の最新時刻の電圧値Ｖ９が記憶されることになる。次の日、制御回路２３は、不揮発性メモリに記憶した電圧値Ｖ９に所定電圧値を加えて初期閾値Ｖ１Ｌを動的に設定する。所定電圧値は、例えば限定されないが、少なくとも５Ｖである。この場合、所定閾値Ｖ２Ｔもその動的な初期閾値Ｖ１Ｌに所定電圧を更に加えて設定されてもよい。
【００７９】
第１制御例の変形例として、ステップＳ３５で第１閾値Ｖ１が所定閾値Ｖ１Ｈに増大されたときの時計機能から得られる時刻情報を不揮発性メモリなどに記憶してもよい。この場合、記憶された時刻情報に基づいて、例えばリレーＲＹ２０の交換時期を予測することが可能になる。
【００８０】
第１制御例では、リレーＲＹ２０の動作を第１パラメータＰｆ及び第２パラメータＰｓのそれぞれのカウント値で管理しているが、制御回路２３の時計機能により管理してもよい。
【００８１】
まず、第１及び第２パラメータＰｆ，Ｐｓの第１代替例について説明する。例えば、第１パラメータＰｆの代替例として、制御回路２３は、第１閾値Ｖ１を所定閾値Ｖ１Ｈに変更しとき、時計機能を起動し、第１閾値Ｖ１が所定閾値Ｖ１Ｈである状態で所定時間が時計機能の起動時刻から経過したときに、第１閾値Ｖ１を初期閾値Ｖ１Ｌに戻す。また、第２パラメータＰｓの代替例として、制御回路２３は、電圧値Ｖ９が第３閾値Ｖ３と所定閾値Ｖ１Ｈとの間に入ったときに、時計機能を起動し、電圧値Ｖ９が第３閾値Ｖ３と所定閾値Ｖ１Ｈとの間にある状態で所定時間が時計機能の起動時刻から経過したときに、第１閾値Ｖ１を初期閾値Ｖ１Ｌに戻す。
【００８２】
次に、第１及び第２パラメータＰｆ，Ｐｓの第２代替例について説明する。制御回路２３は、時計機能から得られる時刻が日没時刻又は日没間際の時刻などの所定時刻になれば、第１閾値Ｖ１を初期閾値Ｖ１Ｌに戻す。
【００８３】
第１制御例では、第１状態及び第２状態が、それぞれ、リレーＲＹ２０の閉状態及び開状態であるが、開状態及び閉状態でもよい。第１閾値Ｖ１は、リレーＲＹ２０を第１状態としての開状態から第２状態としての閉状態に切り替えるための閾値である。この場合、制御回路２３は、リレーＲＹ２０の開状態から閉状態への切替えに応じて、関連値Ｖ９と第１閾値Ｖ１とのうち少なくとも一方を、関連値Ｖ９と第１閾値Ｖ１との差が大きくなるように変化させる。これにより、リレーＲＹ２０が再度開状態になると、閉状態になり難くなるので、出力グリッチを抑制可能になる。
【００８４】
（第２制御例）
図５は、制御回路２３によるリレーＲＹ２０に対する第２制御例の一部動作フローを示す。つまり、第２制御例の動作フローは、図５のＳ３４からＳ３５以外は図４の動作フローと同様である。
【００８５】
第１制御例では、第１閾値Ｖ１は初期閾値Ｖ１Ｌと所定閾値Ｖ１Ｈとの間で切り替えられるが、第２制御例では、第１閾値Ｖ１は初期閾値Ｖ１Ｌから所定閾値Ｖ１Ｈまで所定値Ｖαによって増分される。図５に示しように、ステップＳ３４，Ｓ３５が図４と相違するので、以下その相違部分を説明する。
【００８６】
ステップＳ３３で、制御回路２３がフラグＦを０に設定すると、ステップＳ３４に進んで、第１閾値Ｖ１が所定閾値Ｖ１Ｈより小さいか否かを判定する。第１閾値Ｖ１が所定閾値Ｖ１Ｈより小さければ（ステップＳ３４で“ＹＥＳ”）、ステップＳ３５に進み、そうでなければ（ステップＳ３４で“ＮＯ”）、図４と同様のステップＳ３６に進む。
【００８７】
ステップＳ３５で、制御回路２３は、第１閾値Ｖ１を所定値Ｖαだけ増分する。
【００８８】
この第２制御例では、第１閾値Ｖ１が初期閾値Ｖ１Ｌから所定閾値Ｖ１Ｈまで所定値Ｖαによって増分されるので、第１閾値Ｖ１を出力グリッチを抑制可能な値まで好適に増大することができる。
【００８９】
例えば、第２制御例の所定閾値Ｖ１Ｈが第１制御例と同様に７０Ｖである場合、所定値Ｖαは、初期閾値Ｖ１Ｌと所定閾値Ｖ１Ｈとの差を、所定整数値で割って得られる値に設定されてもよい。ここで、所定値Ｖαが少なくとも５Ｖとする条件がある場合、所定整数値は２となり、所定値Ｖαは５Ｖになる。代替例として、第２制御例の所定閾値Ｖ１Ｈが、例えば限定されないが７２Ｖである場合、同様の条件で、所定整数値は２となり、所定値Ｖαは６Ｖになる。
【００９０】
第２制御例によれば、第１制御例と同様に、出力グリッチを抑制可能となる。また、好適に増大された第１閾値Ｖ１を第１制御例の初期閾値Ｖ１Ｌ又は所定閾値Ｖ１Ｈに設定することで、第１制御例の動作フローを最適化することが可能である。
【００９１】
（４）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００９２】
（４．１）第１変形例
第１変形例の電力変換装置１００では、電力変換装置１００が複数（ここでは、２つ）の分散型電源１に接続されている点で、上述の実施形態の電力変換装置１００と相違する。具体的には、本変形例では、図６及び図７に示すように、１つの分散型電源１（つまり、各分散型電源１の正極１１及び負極１２）に対して、１つの入力キャパシタＣ０と、１つの昇圧回路２とが接続されている。そして、本変形例の電力変換装置１００には、２つの分散型電源１が接続されている。したがって、本変形例の電力変換装置１００は、２つの入力キャパシタＣ０と、２つの昇圧回路２とを備えている点で、上述の実施形態の電力変換装置１００と相違する。
【００９３】
図６及び図７に示す例では、分散型電源１、制御回路１０、インバータ回路３、フィルタ回路４、蓄電池５、充放電回路５０、及び電力系統６の図示を省略している。以下、図８においても同様である。
【００９４】
本変形例では、１つの入力キャパシタＣ０及び１つの昇圧回路２で各機能部Ａ１を構成して、２つの機能部Ａ１が出力キャパシタＣ１に対して並列に接続されている。そして、各分散型電源１とインバータ回路３との間に電気的に接続可能なリレー制御装置２０が具備されている。
【００９５】
図６に示す例では、２つのリレー制御装置２０が２つの分散型電源１と２つの機能部Ａ１との間にそれぞれ設けられている。つまり、リレー制御装置２０は、第１端子２１として、正極１１及び負極１２にそれぞれ接続される第１端子２１１及び第１端子２１２を含む。また、リレー制御装置２０は、第２端子２２として、入力キャパシタＣ０の第１電極１３及び第２電極１４にそれぞれ接続される第２端子２２１及び第２端子２２２を含む。検出回路９は、リレー制御装置２０と、対応する分散型電源１との間に設けられる。
【００９６】
図７に示す例では、１つのリレー制御装置２０が２つの機能部Ａ１の両出力と出力キャパシタＣ１との間に設けられている。リレー制御装置２０は、第１端子２１として、両昇圧回路２の各高電位の出力端と各低電位の出力端とそれぞれ接続される第１端子２１１及び第１端子２１２を含む。また、リレー制御装置２０は、第２端子２２として、出力キャパシタＣ１の第１電極１５及び第２電極１６にそれぞれ接続される第２端子２２１及び第２端子２２２を含む。
【００９７】
本変形例では、複数の分散型電源１の各々について、リレー制御装置２０により、対地容量Ｃｅ１及び対地容量Ｃｅ２の充電経路を遮断している。このため、本変形例では、複数の分散型電源１の各々について、正極１１及び負極１２のいずれにも対地電圧が印加され難く、結果として複数の分散型電源１に悪影響が及ぶ可能性を低減することができる。また、出力グリッチを抑制可能である。
【００９８】
（４．２）第２変形例
第２変形例の電力変換装置１００では、図８に示すように、複数のリレー制御装置２０が、第２筐体８０に収納され、これらリレー制御装置２０及び第２筐体８０が接続箱８を構成する点で、第１変形例の電力変換装置１００と相違する。なお、第２変形例では、上述の実施形態と同様に、複数のリレーＲＹ２０が、それぞれ、複数のリレー制御装置２０に具備されている。
【００９９】
図８の例では、接続箱８は、複数の検出回路９を更に含む。２つのリレー制御装置２０は、それぞれ、２つの分散型電源１と２つの機能部Ａ１との間に配置され、２つの検出回路９は、それぞれ、２つの分散型電源１と２つのリレー制御装置２０との間に配置されている。
【０１００】
接続箱８が第１筐体７に接続されている状態において、各リレー制御装置２０の第１端子２１１と第１端子２１２は、それぞれ、対応する分散型電源１の正極１１及び負極１２に接続される。また、各リレー制御装置２０の第２端子２２１と第２端子２２２は、対応する機能部Ａ１の高電位の入力端と低電位の入力端に接続される。各開閉素子ＳＷ２０は、例えば制御回路２３に制御されてオン／オフを切り替えることにより、対応する分散型電源１の正極１１及び負極１２と、対応する機能部Ａ１の高電位の入力端及び低電位の入力端との間の経路を開閉する。
【０１０１】
検出回路９は、対応する分散型電源１の関連値を取得する。検出回路９は、例えば限定されないが、対応する分散型電源１の出力電圧を検出する回路である。検出回路９は、例えば複数の抵抗の直列回路を有する。本変形例では、制御回路２３は、検出回路９の検出電圧を監視しており、各リレーＲＹ２０を開閉する。具体的には、制御回路２３は、分散型電源１から得られる関連値が第１閾値Ｖ１より大きい場合にリレーＲＹ２０を閉状態にし、分散型電源１から得られる関連値が第２閾値Ｖ２より小さい場合にリレーＲＹ２０を開状態にし、かつ第１閾値Ｖ１を所定の増分値だけ増大する。つまり、制御回路２３は、第２変形例と同様に動作する。なお、本開示のリレー制御装置２０は、これに限らず、制御回路２３は、図１に示した制御回路１０の一部として、制御回路１０に含まれてもよい。
【０１０２】
本変形例では、第１変形例と同様に、複数の分散型電源１の各々について、正極１１及び負極１２のいずれにも対地電圧が印加され難く、結果として複数の分散型電源１に悪影響が及ぶ可能性を低減することができる。また、本変形例では、リレー制御装置２０が第１筐体７に内蔵されておらず、リレー制御装置２０を外付けすることが可能である。つまり、本変形例では、第１筐体７に接続箱８を外付けすることにより、既存のインバータ回路３にリレー制御装置２０を容易に接続することが可能である、という利点がある。
【０１０３】
（５）その他の変形例
以下、その他の変形例について列挙する。以下に説明する変形例は、「（４）変形例」に列挙した変形例を含めて、適宜組み合わせて適用可能である。
【０１０４】
上述の実施形態では、入力キャパシタＣ０及び出力キャパシタＣ１、昇圧回路２、インバータ回路３、フィルタ回路４、及び制御回路１０は、１つの筐体（第１筐体）７に収納されているが、複数の筐体に分散して収納されていてもよい。
【０１０５】
上述の実施形態では、昇圧回路２は、昇圧型のＤＣ−ＤＣコンバータであるが、これに限定する趣旨ではない。例えば、昇圧回路２は、降圧型のＤＣ−ＤＣコンバータであってもよいし、昇圧及び降圧の両方が可能なＤＣ−ＤＣコンバータであってもよい。
【０１０６】
上述の実施形態では、インバータ回路３は、双方向に電力を変換する構成であるが、これに限定する趣旨ではない。例えば、インバータ回路３は、昇圧回路２からフィルタ回路４への一方向（単方向）にのみ電力を変換する構成であってもよい。この場合、蓄電池５は、電力系統６から供給される電力によっては充電されず、分散型電源１の発電電力のうちの余剰電力によって充電される。
【０１０７】
上述の実施形態では、分散型電源１に蓄電池５が並列に接続されているが、これに限定する趣旨ではない。例えば、分散型電源１には、蓄電池５の代わりに他の分散型電源が接続されていてもよい。この態様においても、分散型電源１が発電しておらず、他の分散型電源が電力を出力している場合に、分散型電源１の正極１１及び負極１２のいずれにも対地電圧が印加され難くすることが可能である。
【０１０８】
上述の実施形態では、電力変換装置１００は、入力キャパシタＣ０、昇圧回路２、出力キャパシタＣ１、及びフィルタ回路４を備えているが、これらの一部又は全部を備えていなくてもよい。例えば、電力変換装置１００において、分散型電源１とインバータ回路３との間に昇圧回路２が接続されていなくてもよい。
【０１０９】
上述の実施形態において、分散型電源１は太陽光発電装置であるが、これに限定する趣旨ではない。例えば、分散型電源１は、蓄電池（電気自動車用の蓄電池を含む）、又は燃料電池などの発電装置であってもよい。
【０１１０】
上述の実施形態では、電力変換装置１００は、電力系統６の異常時に解列器を開放して自立運転を行うように構成されているが、これに限定する趣旨ではない。例えば、電力変換装置１００は、電力系統６の異常時に自立運転を行わない構成であってもよい。
【０１１１】
上述の実施形態において、電力変換装置１００は、非住宅施設に導入されているが、これに限定する趣旨ではない。例えば、電力変換装置１００は、住宅に導入されてもよいし、電気自動車等、施設以外に適用されてもよい。
【０１１２】
（まとめ）
以上述べたように、第１の態様に係るリレー制御装置（２０）は、分散型電源（１）と、分散型電源（１）の直流電力を交流電力に変換するインバータ回路（３）との間を電気的に開閉するリレー（ＲＹ２０）を制御する。リレー制御装置（２０）は、分散型電源（１）の出力に関連する値である関連値と閾値（Ｖ１，Ｖ２）との比較結果に応じて、リレー（ＲＹ２０）を第１状態と第２状態とに切り替える制御回路（２３）を備える。制御回路（２３）は、リレー（ＲＹ２０）の第１状態から第２状態への切替えに応じて、関連値（Ｖ９）と閾値（Ｖ１）とのうち少なくとも一方を変化させる。
【０１１３】
この態様によれば、分散型電源（１）の電極への対地電圧の低減が可能であるほか、出力グリッチを抑制可能である。
【０１１４】
第２の態様に係るリレー制御装置（２０）では、第１の態様において、第１状態及び第２状態は、それぞれ、リレー（ＲＹ２０）の閉状態及び開状態である。制御回路（２３）は、リレー（ＲＹ２０）の第１状態から第２状態への切替えに応じて、関連値（Ｖ９）と閾値（Ｖ１）とのうち少なくとも一方を、関連値（Ｖ９）と閾値（Ｖ１）との差が大きくなるように変化させる。閾値（Ｖ１）は、リレー（ＲＹ２０）を第２状態から第１状態に切り替えるための閾値である。
【０１１５】
この態様によれば、関連値（Ｖ９）と閾値（Ｖ１）とのうち少なくとも一方が変化されると、リレー（ＲＹ２０）が閉状態になり難くなるので、出力グリッチを抑制可能である。
【０１１６】
第３の態様に係るリレー制御装置（２０）では、第１の態様において、第１状態及び第２状態は、それぞれ、リレー（ＲＹ２０）の閉状態及び開状態である。閾値（Ｖ１，Ｖ２）は、リレー（ＲＹ２０）を開状態から閉状態に切り替えるための第１閾値（Ｖ１）と、リレー（ＲＹ２０）を閉状態から開状態に切り替えるための第２閾値（Ｖ２）とを含む。
制御回路（２３）は、分散型電源（１）から得られる関連値（Ｖ９）が第１閾値（Ｖ１）より大きい場合にリレー（ＲＹ２０）を閉状態にする。また、制御回路（２３）は、分散型電源（１）から得られる関連値（Ｖ９）が第２閾値（Ｖ）より小さい場合にリレー（ＲＹ２０）を開状態にし、かつ第１閾値（Ｖ１）を所定の増分値だけ増大する。
【０１１７】
この態様によれば、第１閾値（Ｖ１）が所定の増分値だけ増大されると、リレー（ＲＹ２０）が閉状態になり難くなるので、出力グリッチを抑制可能である。
【０１１８】
第４の態様に係るリレー制御装置（２０）では、第２又は第３の態様において、関連値（Ｖ９）は、分散型電源（１）の出力電圧の値である。
【０１１９】
この態様によれば、分散型電源（１）の出力電圧の値を取得することで、出力グリッチが抑制可能になる。
【０１２０】
第５の態様に係るリレー制御装置（２０）では、第３の態様において、制御回路（２３）は、第１閾値（Ｖ１）を増分値だけ増大した場合、増分値だけ増大した第１閾値（Ｖ１）を低減する。
【０１２１】
この態様によれば、リレー制御を、第１閾値（Ｖ１）を増分値だけ増大する前の制御に戻すことができる。
【０１２２】
第６の態様に係るリレー制御装置（２０）では、第５の態様において、制御回路（２３）は、第１閾値（Ｖ１）を増分値だけ増大した場合、所定時間が経過するか、現在時刻が所定時刻になるか、または、関連値（Ｖ９）が所定値以上になれば、増分値だけ増大した第１閾値（Ｖ９）を低減する。
【０１２３】
この態様によれば、分散型電源（１）の動作の安定が見込まれる場合に、リレー制御を、第１閾値（Ｖ１）を増分値だけ増大する前の制御に戻すことができる。
【０１２４】
第７の態様に係るリレー制御装置（２０）では、第６の態様において、制御回路（２３）は、増分値だけ増大した第１閾値（Ｖ１）を、増分値を含まない初期値（Ｖ１Ｌ）に低減する。
【０１２５】
この態様によれば、分散型電源（１）の動作の安定が見込まれる場合に、リレー制御を、初期制御に戻すことができる。
【０１２６】
第８の態様に係るリレー制御装置（２０）では、第１から７の何れかの態様において、分散型電源（１）は太陽電池である。
【０１２７】
この態様によれば、分散型電源（１）の電極への対地電圧の低減が可能であるほか、出力グリッチを抑制可能である。
【０１２８】
第２〜第８の態様に係る構成については、リレー制御装置（２０）に必須の構成ではなく、適宜省略可能である。
【０１２９】
第９の態様に係る接続箱（８）は、第８の態様のリレー制御装置（２０）と、リレー（ＲＹ２０）と、リレー制御装置（２０）及びリレー（ＲＹ２０）を収容する第２筐体（８０）を備える。
【０１３０】
この態様によれば、分散型電源（１）の電極への対地電圧の低減が可能であるほか、出力グリッチを抑制可能である。
【０１３１】
第９の態様に係る電力変換システム（２００）は、第１から８の態様の何れか１つのリレー制御装置（２０）と、分散型電源（１）と、インバータ回路（３）と、リレー（ＲＹ２０）と、を備える。
【０１３２】
上記態様のほか、本開示は、リレー制御装置（２０）の制御方法、及びプログラムを含む。
【０１３３】
リレー制御装置（２０）の制御方法は、制御回路（２３）の制御方法である。つまり、制御方法は、分散型電源（１）の出力に関連する値である関連値と閾値（Ｖ１，Ｖ２）との比較結果に応じて、リレー（ＲＹ２０）を第１状態と第２状態とに切り替えることを含む。また、制御方法は、リレー（ＲＹ２０）の第１状態から第２状態への切替えに応じて、関連値（Ｖ９）と閾値（Ｖ１）とのうち少なくとも一方を変化させることを含む。
【０１３４】
プログラムは、コンピュータを、リレー制御装置（２０）の制御回路（２３）として機能させるためのプログラムである。つまり、プログラムは、コンピュータを、分散型電源（１）の出力に関連する値である関連値と閾値（Ｖ１，Ｖ２）との比較結果に応じて、リレー（ＲＹ２０）を第１状態と第２状態とに切り替える制御回路（２３）として機能させる。また、プログラムは、コンピュータを、リレー（ＲＹ２０）の第１状態から第２状態への切替えに応じて、関連値（Ｖ９）と閾値（Ｖ１）とのうち少なくとも一方を変化させる制御回路（２３）として機能させる。
【０１３５】
本開示における装置、システム又は方法の主体は、コンピュータを備えることができる。このコンピュータがプログラムを実行することで、本開示における装置、システムまたは方法の主体の一ないし複数の機能の実現を可能とする。コンピュータは、プログラムに従って動作するプロセッサを主なハードウェア構成として備えてもよい。ただし、プロセッサは、プログラムを実行することで一ないし複数の機能を実現することができる限り、その種類は問わない。一例として、プロセッサは、一ないし複数の電子回路で構成され、その各々は、半導体集積回路（ＩＣ）又はＬＳＩ（large scaleintegration）を含んでもよい。なお、ＩＣまたはＬＳＩは、集積度合いに応じて、システムＬＳＩ、ＶＬＳＩ（very large scaleintegration）又はＵＬＳＩ（ultra large scaleintegration）と呼ばれる。別例として、プロセッサを構成する一ないし複数の電子回路の各々は、同じ目的で使用され、ＬＳＩ製造後にプログラムされる論理デバイスを含んでもよい。論理デバイスの例としては、フィールド・プログラマブル・ゲート・アレイ（ＦＰＧＡ）、ＬＳＩ内部の接合関係の再構成可能な論理デバイス、及びＬＳＩ内部の回路区画のセットアップができる再構成可能な論理デバイスを挙げることができる。複数の電子回路は、ワンチップに集積されてもよく、あるいは複数のチップに分離されてもよい。複数のチップは一つの装置に集約されてもよく、あるいは複数の装置に分けられてもよい。プログラムは、ＲＯＭ、光ディスクまたはハードディスクなどの、コンピュータ読取可能な非一時的記録媒体（以下単に「記録媒体」という）に記録することができる。プログラムは、記録媒体に予め格納されてもよく、インターネットなどの広域通信網を介して記憶媒体に格納されてもよい。
【符号の説明】
【０１３６】
１  分散型電源
３  インバータ回路
８  接続箱
８０  第２筐体
２０  リレー制御装置
２３  制御回路
ＲＹ２０  リレー
２００  電力変換システム
【図１】
2019180193.tif 000003
【図２】
2019180193.tif 000004
【図３】
2019180193.tif 000005
【図４】
2019180193.tif 000006
【図５】
2019180193.tif 000007
【図６】
2019180193.tif 000008
【図７】
2019180193.tif 000009
【図８】
2019180193.tif 000010